(57)【特許請求の範囲】
【請求項１】
垂直同期信号に基づいて入力フレーム周波数を検出する入力周波数検出部と、
前記入力周波数検出部を介して入力される３Ｄデータを過駆動制御変調しクロストークを一時補償する第１クロストーク保証部と、
１が掛けられる基準フレーム周波数から前記検出された入力フレーム周波数が低くなるほど０から１の間で漸次小さな定数値を前記一次補償された３Ｄデータに掛けて前記クロストークを最終補償する第２クロストーク補償部と、
最終補償された３Ｄデータに含まれた左目イメージデータと右目イメージデータを時分割表示する液晶表示素子と
を備え、
前記基準フレーム周波数は、あらかじめ設定されたフレーム周波数の中で最も早い周波数に選択されることを特徴とする立体映像表示装置。
【請求項２】
前記入力周波数検出部は、
前記垂直同期信号を６０Ｈｚで分けてその残りが０になればＮＴＳＣという判断の下に第１判断信号を出力し、前記残りが０ではなければＰＡＬという判断の下に第２判断信号を出力するＮＴＳＣ／ＰＡＬ判断部と、
前記第１判断信号に応答して前記垂直同期信号が１２０Ｈｚかまたは２４０Ｈｚかを検出するＮＴＳＣ信号検出部と、
前記第２判断信号に応答して前記垂直同期信号が１００Ｈｚかまたは２００Ｈｚかを検出するＰＡＬ信号検出部と
を備えることを特徴とする、請求項１記載の立体映像表示装置。
【請求項３】
前記ＮＴＳＣ信号検出部は、
前記垂直同期信号が２４０Ｈｚの場合、２４０ＨｚのＮＴＳＣ信号を指示する二進数‘００'をフレーム周波数情報としてＥＥＰＲＯＭに貯蔵し、
前記垂直同期信号が１２０Ｈｚの場合、１２０ＨｚのＮＴＳＣ信号を指示する二進数‘１０’を前記フレーム周波数情報として前記ＥＥＰＲＯＭに貯蔵する
ことを特徴とする、請求項２記載の立体映像表示装置。
【請求項４】
前記ＰＡＬ信号検出部は、
前記垂直同期信号が２００Ｈｚの場合、２００ＨｚのＰＡＬ信号を指示する二進数‘０１’を前記フレーム周波数情報として前記ＥＥＰＲＯＭに貯蔵し、
前記垂直同期信号が１００Ｈｚの場合、１００ＨｚのＰＡＬ信号を指示する二進数‘１１’を前記フレーム周波数情報として前記ＥＥＰＲＯＭに貯蔵する
ことを特徴とする、請求項３記載の立体映像表示装置。
【請求項５】
前記第２クロストーク補償部は、
前記ＥＥＰＲＯＭに貯蔵されたフレーム周波数情報が二進数‘００’の場合、１と同一である第１定数値を前記一次補償された３Ｄデータに掛け、
前記ＥＥＰＲＯＭに貯蔵されたフレーム周波数情報が二進数‘０１’の場合、前記第１定数値より小さな第２定数値を前記一次補償された３Ｄデータに掛け、
前記ＥＥＰＲＯＭに貯蔵されたフレーム周波数情報が二進数‘１０’の場合、前記第２定数値より小さな第３定数値を前記一次補償された３Ｄデータに掛け、
前記ＥＥＰＲＯＭに貯蔵されたフレーム周波数情報が二進数‘１１’の場合、前記第３定数値より小さな第４定数値を前記一次補償された３Ｄデータに掛ける
ことを特徴とする、請求項４記載の立体映像表示装置。
【請求項６】
前記液晶表示素子に同期して左目シャッターと右目シャッターを交互に開閉する液晶シャッタメガネをさらに備える
ことを特徴とする、請求項１記載の立体映像表示装置。
【請求項７】
前記液晶表示素子上に附着されて、左目イメージの偏光特性と右目イメージの偏光特性を互いに異なるように変換するアクティブリターダと、
第１偏光のみを透過させる左目と、第１偏光と光軸が直交する第２偏光のみを透過させる右目を含む偏光メガネと
をさらに備えることを特徴とする、請求項１記載の立体映像表示装置。
【請求項８】
垂直同期信号に基づいて入力フレーム周波数を検出する段階と、
過駆動制御変調を通じて入力３Ｄデータのクロストークを一次補償する段階と、
１が掛けられる基準フレーム周波数から前記検出された入力フレーム周波数が低くなるほど０から１の間で漸次小さな定数値を前記一次補償された３Ｄデータに掛けて前記クロストークを最終補償する段階と
を含み、
前記基準フレーム周波数は、あらかじめ設定されたフレーム周波数の中で最も早い周波数に選択されることを特徴とする立体映像表示装置のクロストーク補償方法。
【発明の詳細な説明】
【技術分野】
【０００１】
本発明は画質を向上することができる立体映像表示装置及びそのクロストーク補償方法に関する。
【背景技術】
【０００２】
最近、多様な映像処理技術の発展に基づいて３次元立体映像（以下、‘３Ｄ映像’）を具現することができる立体映像表示装置が開発されている。
【０００３】
３Ｄ映像を具現する方式は、両眼視差方式（stereoscopic technique）または複合視差知覚方式（autostereoscopic technique）に大きく分けられる。
【０００４】
両眼視差方式は、立体効果が大きい左右目の視差映像を利用し、眼鏡方式と無眼鏡方式があり、二つの方式とも皆実用化されている。無眼鏡方式は、一般的に、左右視差映像の光軸を分離するためのパララックスバリヤなどの光学板を表示画面の前にまたは後に設置する方式である。眼鏡方式は、液晶表示パネルに偏光方向が互いに異なる左右視差映像を表示し、偏光眼鏡または液晶シャッタメガネを使って立体映像を具現する。
【０００５】
眼鏡方式は、パターンドリターダフィルムと偏光メガネを利用する第１偏光フィルター方式と、スイッチング液晶層と偏光メガネを利用した第２偏光フィルター方式と、液晶シャッタメガネ方式とに大きく分けられる。第１及び第２偏光フィルター方式では、偏光フィルターの役割のために、液晶表示パネル上に配置されたパターンリタドフィルムまたはスイッチング液晶層によって３Ｄ映像の透過率が低い。
【０００６】
液晶シャッタメガネ方式は、表示素子に左目イメージと右目イメージをフレーム単位で交互に表示し、この表示タイミングに同期して液晶シャッタメガネの左右の目シャッターを開閉することで３Ｄ映像を具現する。液晶シャッタメガネは、左目イメージが表示される第ｎフレーム期間の間その左目シャッターのみを開放し、右目イメージが表示される第ｎ＋１フレーム期間の間その右目シャッターのみを開放することで時分割方式で両眼視差を作り出す。
【０００７】
立体映像表示装置において映像を表示する表示素子としては液晶表示装置（Liquid Crystal Display、ＬＣＤ）が主に利用される。ホールドタイプ（Hold type）の表示素子である液晶表示装置はデータの記入に対応しその応答特性が多少遅延される。このような液晶の応答特性の遅延によって、３Ｄ映像具現時、左目イメージから右目イメージに変わる時間または右目イメージから左目イメージに変わる時間で残像によるテーリング（ｔａｉｌｉｎｇ）が発生しゴースト状の３Ｄクロストーク（Crosstalk）が現われる。
【０００８】
液晶の応答特性を向上するために過駆動制御（Over Driving Cｏｎtrol、以下‘ＯＤＣ’）変調方式が知られている。ＯＤＣ変調方式は、直前フレームデータと現在フレームデータを比べて、その比較結果によるデータの変化を判断しその判断結果に対応する補償値で入力データを変調する。ＯＤＣ変調方式は、直前フレームデータに比べて現在フレームデータの階調が大きいほど現在フレームデータを入力階調値よりさらに大きく変調し、反対に直前フレームデータに比べて現在フレームデータの階調が小さいほど現在フレームデータを入力階調値よりさらに小さく変調することで液晶の応答特性を高める。
【０００９】
しかし、ＯＤＣ変調方式は、同一階調の現在フレームデータを表現する際、以前フレームデータの階調が何なのかによって輝度偏差が発生する問題がある。このような輝度偏差によって既存のＯＤＣ変調方式をそのまま立体映像表示装置に採用する場合、３Ｄクロストーク（Crosstalk）を低減させにくい。
【００１０】
最近、立体映像表示装置にＯＤＣ変調方式を適用しながらも前記のような輝度偏差問題を無くすことで３Ｄクロストークを緩和させることができる技術が提案されている。しかし、この技術は入力フレーム周波数が６０ＨｚであるＮＴＳＣ（Natiｏｎal Televisiｏｎ Standards Committee）方式に基いたものであり、入力フレーム周波数が５０ＨｚであるＰＡＬ（Phase Alternate Line）方式にそのまま適用する場合、図１のような問題が発生する。
【００１１】
すなわち、入力フレーム周波数にかかわらずＮＴＳＣ基準で同一であるクロストーク減少技術をＰＡＬ方式に適用すれば、図１のように、２４０Ｈｚ（ＮＴＳＣ）では以前フレームデータの輝度から現在フレームデータのターゲット輝度に液晶応答が所望する時間内に到達するのに比べて、２００Ｈｚ（ＰＡＬ）ではオーバーシュート（over shoot）によってむしろターゲット輝度に到達する時間が所望する時間より所定値（Ｔ）遅くなることによって３Ｄクロストークが発生するようになる。
【００１２】
入力フレーム周波数に従って液晶のプロファイル（profile）は変わる。したがって、入力フレーム周波数を考慮し前述した技術の問題点を解決することができる追加補完策が要求される。
【発明の概要】
【発明が解決しようとする課題】
【００１３】
したがって、本発明の目的は、入力フレーム周波数に拘わらず拘わらずに３Ｄクロストークを防止するようにした立体映像表示装置及びそのクロストーク補償方法を提供することにある。
【課題を解決するための手段】
【００１４】
前記目的を果たすために、本発明に係る立体映像表示装置は、垂直同期信号に基づいて入力フレーム周波数を検出する入力周波数検出部と、前記入力周波数検出部を介して入力される３Ｄデータを過駆動制御変調しクロストークを一時補償する第１クロストーク保証部と、１が掛けられる基準フレーム周波数から前記検出された入力フレーム周波数が低くなるほど０から１の間で漸次小さな定数値を前記一次補償された３Ｄデータに掛けて前記クロストークを最終補償する第２クロストーク補償部と、最終補償された３Ｄデータに含まれた左目イメージデータと右目イメージデータを時分割表示する液晶表示素子とを備え、前記基準フレーム周波数は、あらかじめ設定されたフレーム周波数の中で最も早い周波数に選択される。
また、本発明に係る立体映像表示装置のクロストーク補償方法は、垂直同期信号に基づいて入力フレーム周波数を検出する段階と、過駆動制御変調を通じて入力３Ｄデータのクロストークを一次補償する段階と、１が掛けられる基準フレーム周波数から前記検出された入力フレーム周波数が低くなるほど０から１の間で漸次小さな定数値を前記一次補償された３Ｄデータに掛けて前記クロストークを最終補償する段階とを含み、前記基準フレーム周波数は、あらかじめ設定されたフレーム周波数の中で最も早い周波数に選択される。
【発明の効果】
【００２４】
本発明の立体映像表示装置及びそのクロストーク補償方法は、入力フレーム周波数に拘わらずに液晶応答時発生するオーバーシュートを未然に防止し、３Ｄクロストークを画期的に減らすことができるようになる。
【図面の簡単な説明】
【００２５】
【図１】入力周波数に従って液晶応答が遅くなる一例を示す図である。
【図２】本発明の一実施の形態に係る立体映像表示装置を示す図である。
【図３】本発明の他の実施の形態に係る立体映像表示装置を示す図である。
【図４】クロストーク補償回路を詳しく示す図である。
【図５】入力周波数の検出部を詳しく示す図である。
【図６】最終補償された３Ｄデータによる液晶応答を示す図である。
【図７】本発明に係る立体映像表示装置のクロストーク補償方法を順次に示す図である。
【発明を実施するための形態】
【００２６】
以下、添付図面の図２乃至図７を参照しながら、本発明の好適な実施の形態について詳細に説明する。
【００２７】
図２は本発明の一実施の形態に係る立体映像表示装置を示す。
【００２８】
図２を参照すれば、本発明の一実施の形態に係る立体映像表示装置は、表示パネル１５、表示パネル駆動回路１２、バックライトユニット１６、バックライト駆動回路１３、液晶シャッタメガネ１８、シャッター制御信号送信部１４、シャッター制御信号受信部１７、クロストーク補償回路１０及び制御回路１１を備える。ここで、表示パネル駆動回路１２、バックライト駆動回路１３、表示パネル１５及びバックライトユニット１６は表示素子を具現する。
【００２９】
表示パネル１５は、制御回路１１の時分分割制御の下で所定時間を周期として左目イメージデータと右目イメージデータを交互に表示する。左目イメージが表示される左目データフレームと右目イメージが表示される右目データフレームの間ごとにブラック映像を表示するためのブラックデータフレームが挿入される。この表示パネル１５は、液晶層に印加されるデータ電圧によってバックライトユニット１６からの光を変調する透過型液晶表示パネルとして具現される。透過型液晶表示パネルは、薄膜トランジスター（Thin Film Transistor: 以下、“ＴＦＴ”と称す）基板とカラーフィルター基板を含む。ＴＦＴ基板とカラーフィルター基板の間には液晶層が形成される。ＴＦＴ基板上には下部ガラス基板上にデータラインとゲートライン（またはスキャンライン）が相互に直交するように形成され、データラインとゲートラインの交差によって定義された画素領域に液晶セルがマトリックス状に配置される。データラインとゲートラインの交差部に形成されたＴＦＴはゲートラインからのスキャンパルスに応答しデータラインを介して供給されるデータ電圧を液晶セルの画素電極に伝達するようになる。このために、ＴＦＴのゲート電極はゲートラインに接続され、ソース電極はデータラインに接続される。ＴＦＴのドレーン電極は液晶セルの画素電極に接続される。画素電極と対向する共通電極には共通電圧が供給される。カラーフィルター基板は上部ガラス基板上に形成されたブラックマトリクス、カラーフィルターを含む。共通電極はＴＮ（Twisted Nematic）モードとＶＡ（Vertical Alignment）モードのような垂直電界駆動方式で上部ガラス基板上に形成され、ＩＰＳ（In Plane Switching）モードとＦＦＳ（Fringe Field Switching）モードのような水平電界駆動方式で画素電極とともに下部ガラス基板上に形成される。透過型液晶表示パネルの上部ガラス基板と下部ガラス基板それぞれには偏光板が附着し液晶のプレチルト角（pre-tilt angle）を設定するための配向膜が形成される。透過型液晶表示パネルの上部ガラス基板と下部ガラス基板の間には液晶層のセルギャップ（cell gap）を維持するためのスペーサーが形成される。透過型液晶表示パネルの液晶モードは前述のＴＮモード、ＶＡモード、ＩＰＳモード、ＦＦＳモードだけではなくどのような液晶モードでも具現することができる。
【００３０】
表示パネル駆動回路１２はデータ駆動回路とゲート駆動回路を含む。データ駆動回路は制御回路１１から入力される最終補償データ（３ＤＤＡＴＡ”）を正極性／負極性ガンマ補償電圧に変換し正極性／負極性アナログデータ電圧を発生する。データ駆動回路から出力される正極性／負極性アナログデータ電圧は表示パネル１５のデータラインに供給される。ゲート駆動回路はデータ電圧に同期するゲートパルス（またはスキャンパルス）を表示パネル１５のゲートラインに順次供給する。
【００３１】
バックライトユニット１６はあらかじめ設定された所定の時間の間点灯して表示パネル１５に光を照射し、その以外の期間の間消灯して、このような点灯と消灯を周期的に繰り返す。バックライトユニット１６はバックライト駆動回路１３から供給される駆動電力によって点灯する光源と、導光板（または拡散板）及び複数の光学シートなどを含む。バックライトユニット１６は直下型（direct type）バックライトユニットまたはエッジ型（edge type）バックライトユニットとして具現できる。バックライトユニットの光源はＨＣＦＬ（Hot Cathode Fluorescent Lamp）、ＣＣＦＬ（Cold Cathode Fluorescent Lamp）、ＥＥＦＬ（External Electrode Fluorescent Lamp）、ＬＥＤ（Light Emitting Diode）の内いずれか一または二種類以上の光源を含むことができる。
【００３２】
バックライト駆動回路１３は光源を点灯させるための駆動電力を発生する。バックライト駆動回路１３は駆動電力を制御回路１１の制御の下に光源に供給する。
【００３３】
液晶シャッタメガネ１８は電気的に個別制御される左目シャッター（ＳＴＬ）と右目シャッター（ＳＴＲ）を備える。左目シャッター（ＳＴＬ）と右目シャッター（ＳＴＲ）それぞれは、第１透明基板、第１透明基板上に形成された第１透明電極、第２透明基板、第２透明基板上に形成された第２透明電極、第１及び第２透明基板の間に形成された液晶層を含む。第１透明電極には基準電圧が供給され、第２透明電極にはＯＮ／ＯＦF電圧が供給される。左目シャッター（ＳＴＬ）と右目シャッター（ＳＴＲ）それぞれは、シャッター制御信号（ＣＳＴ）に応答して第２透明電極にＯＮ電圧が供給される時、表示パネル１５からの光を透過させる一方、第２透明電極にＯＦＦ電圧が供給される時、表示パネル１５からの光を遮断する。
【００３４】
シャッター制御信号送信部１４は制御回路１１に接続され、制御回路１１から入力されるシャッター制御信号（ＣＳＴ）を有／無線インターフェースを通じてシャッター制御信号受信部１７に伝送する。シャッター制御信号受信部１７は液晶シャッタメガネ１８に設置され有／無線インターフェースを通じてシャッター制御信号（ＣＳＴ）を受信し、シャッター制御信号（ＣＳＴ）によって液晶シャッタメガネ１８の左目シャッター（ＳＴＬ）と右目シャッター（ＳＴＲ）を交互に開閉する。シャッター制御信号（ＣＳＴ）が第１論理値でシャッター制御信号受信部１７に入力される時、左目シャッター（ＳＴＬ）の第２透明電極にＯＮ電圧が供給される一方、右目シャッター（ＳＴＲ）の第２透明電極にはＯＦＦ電圧が供給される。シャッター制御信号（ＣＳＴ）が第２論理値でシャッター制御信号受信部１７に入力される時、左目シャッター（ＳＴＬ）の第２透明電極にＯＦＦ電圧が供給される一方、右目シャッター（ＳＴＲ）の第２透明電極にはＯＮ電圧が供給される。したがって、液晶シャッタメガネ１８の左目シャッター（ＳＴＬ）はシャッター制御信号（ＣＳＴ）が第１論理値として発生される時（すなわち、左目イメージが表示される時）開放され、液晶シャッタメガネ１８の右目シャッター（ＳＴＲ）はシャッター制御信号（ＣＳＴ）が第２論理値として発生される時（すなわち、右目イメージが表示される時）開放される。
【００３５】
クロストーク補償回路１０は入力フレーム周波数を検出し、ＯＤＣ変調を通じて入力３Ｄデータのクロストークを一次補償した後、前記検出された入力フレーム周波数に従って０より大きく１以下の値であらかじめ決まれた定数値を一次補償された３Ｄデータに掛けて３Ｄクロストークを最終補償する。そして、クロストーク補償回路１０は最終補償された３Ｄデータ（３ＤＤＡＴＡ”）を制御回路１１に供給する。クロストーク補償回路１０に対しては図３乃至図５を通じて詳しく後述する。
【００３６】
制御回路１１は、システム回路（図示せず）から垂直同期信号（Ｖｓｙｎｃ）、 水平同期信号（Ｈｓｙｎｃ）、データイネーブル信号（ＤＥ）、ドットクロック（ＣＬＫ）などを含んだタイミング信号の入力を受ける。そして、このタイミング信号に基づいて表示パネル制御信号（ＣＤＩＳ）、バックライト制御信号（ＣＢＬ）及びシャッター制御信号（ＣＳＴ）を生成する。
【００３７】
表示パネル制御信号（ＣＤＩＳ）は、データ駆動回路の動作タイミングを制御するためのデータ制御信号（ＤＤＣ）と、ゲート駆動回路の動作タイミングを制御するためのゲート制御信号（ＧＤＣ）を含む。データ制御信号（ＤＤＣ）は、ソーススタートパルス（Source Start Pulse、ＳＳＰ）、ソースサンプリングクロック（Source Sampling Clock、ＳＳＣ）、ソース出力イネーブル信号（Source Output Enable、ＳＯＥ）、極性制御信号（ＰＯＬ）などを含む。ソーススタートパルス（ＳＳＰ）はデータ駆動回路のデータサンプリング開始時点を制御する。ソースサンプリングクロックはライジングまたはフォーリングエッジ（folling edge）に基づいてデータ駆動回路のサンプリング動作を制御するクロック信号である。データ駆動回路に入力されるデジタルビデオデータがｍｉｎｉ ＬＶＤＳ（Low Voltage Differential Signaling）インターフェース規格で伝送されれば、ソーススタートパルス（ＳＳＰ）とソースサンプリングクロック（ＳＳＣ）は省略できる。極性制御信号（ＰＯＬ）はデータ駆動回路から出力されるデータ電圧の極性をＫ（Ｋは正の定数）水平期間周期として反転させる。ソース出力イネーブル信号（ＳＯＥ）はデータ駆動回路の出力タイミングを制御する。ゲート制御信号（ＧＤＣ）は、ゲートスタートパルス（Gate Start Pulse、ＧＳＰ）、ゲートシフトクロック（Gate Shift Clock、ＧＳＣ）、ゲート出力イネーブル信号（Gate Output Enable、ＧＯＥ）などを含む。ゲートスタートパルス（ＧＳＰ）は第1番目のゲートパルスのタイミングを制御する。ゲートシフトクロック（ＧＳＣ）はゲートスタートパルス（ＧＳＰ）をシフトさせるためのクロック信号である。ゲート出力イネーブル信号（ＧＯＥ）はゲート駆動回路の出力タイミングを制御する。
【００３８】
バックライト制御信号（ＣＢＬ）は光源の点灯デューティー比を制御するための点灯デューティー制御信号、光源の点灯周期を制御するための点灯シンク制御信号を含む。バックライト制御信号（ＣＢＬ）はバックライト駆動回路１３に供給されバックライト駆動回路１３の動作を制御する。液晶シャッター制御信号（ＣＳＴ）はシャッター制御信号送信部１４を通じてシャッター制御信号受信部１７に伝送されて液晶シャッタメガネ１８の左目／右目シャッター（ＳＴＬ、ＳＴＲ）の開閉タイミングを制御する。
【００３９】
また、制御回路１１はクロストーク補償回路１０から入力される最終補償された３Ｄデータ（３Ｄ  ＤＡＴＡ”）を表示パネル駆動回路１２に供給する。
【００４０】
図３は本発明の他の実施の形態に係る立体映像表示装置を示す。
【００４１】
図３を参照すれば、本発明の他の実施の形態に係る立体映像表示装置は、表示パネル１５、表示パネル駆動回路１２、バックライトユニット１６、バックライト駆動回路１３、アクティブリターダ２０、アクティブリターダ駆動回路１９、偏光メガネ３０、クロストーク補償回路１０及び制御回路１１を備える。
【００４２】
クロストーク補償回路１０、表示パネル１５、表示パネル駆動回路１２、バックライトユニット１６、バックライト駆動回路１３は、図２で説明したのと実質的に同一である。制御回路１１はシャッター制御信号の代りにアクティブリターダ制御信号（ＣＡＲ）を生成するということを除いて図２で説明したのと実質的に同一である。
【００４３】
アクティブリターダ２０は表示パネル１５上に附着されて左目イメージの偏光特性と右目イメージの偏光特性を互いに異なるようにする。アクティブリターダ２０は、液晶層、液晶層に電界を印加するための電極、液晶層上に形成された１／４波長板を含み液晶層の複屈折状態を電気的に制御することで表示パネル１５から入射される光の偏光特性を変換する。液晶層１４１は、ｏｎ電圧に応答して入射光の位相を遅延させないでそのまま通過させる一方、ｏｆｆ電圧が印加される時入射光の位相を１／２波長位遅延させる１／２波長位相遅延層の役割をする。左目イメージが表示されるフレーム期間の間、液晶層１４１はｏｆｆ電圧に応答し表示パネル１５の上部偏光板を通過した−４５゜線偏光の位相を１／２波長だけ遅延させ４５゜線偏光に変換し、１／４波長板は液晶層を通過した４５゜線偏光の位相を１／４波長だけ遅延させて左円偏光に変換する。右目イメージが表示されるフレーム期間の間、液晶層はｏｎ電圧に応答して表示パネル１５の上部偏光板を通過した−４５゜線偏光をそのまま通過させて、１／４波長板は液晶層を通過した−４５゜線偏光の位相を１／４波長だけ遅延させて右円偏光に変換する。
【００４４】
アクティブリターダ駆動回路１９はアクティブリターダ制御信号（ＣＡＲ）に応答しｏｎ電圧とｏｆｆ電圧をアクティブリターダ２０に供給する。
【００４５】
偏光メガネ３０は、左円偏光フィルターを有する左目と、右円偏光フィルターを有する右目を備える。左円偏光フィルターはアクティブリターダ２０から入射される左円偏光のみを透過させ、右円偏光フィルターはアクティブリターダ２０から入射される右円偏光のみを透過させる。
【００４６】
図４は図２及び図３に示されたクロストーク補償回路１０の詳細構成を示し、図５は図４に示された入力周波数検出部を詳しく示す。そして、図６は最終補償された３Ｄデータ（３Ｄ  ＤＡＴＡ“）による液晶応答を示す。
【００４７】
図４を参照すれば、クロストーク補償回路１０は、入力周波数検出部２１、第１クロストーク補償部２３、ＥＥＰＲＯＭ２５、及び第２クロストーク補償部２７を備える。
【００４８】
入力周波数検出部２１は垂直同期信号（Ｖｓｙｎｃ）に基づいて入力フレーム周波数を検出し、このフレーム周波数情報（ＦＤＩ）をＥＥＰＲＯＭ２５に貯蔵する。このために、入力周波数検出部２１は、図５のように、ＮＴＳＣ／ＰＡＬ判断部２１１、ＮＴＳＣ信号検出部２１２、ＰＡＬ信号検出部２１３を含む。
【００４９】
ＮＴＳＣ／ＰＡＬ判断部２１１は入力される垂直同期信号（Ｖｓｙｎｃ）を６０Ｈｚで分けてその残りが０になればＮＴＳＣという判断の下に第１判断信号（ＣＳ１）を出力し、これとは異なりその残りが０ではなければＰＡＬという判断の下に第２判断信号（ＣＳ２）を出力する。
【００５０】
ＮＴＳＣ信号検出部２１２は、第１判断信号（ＣＳ１）に応答して動作し、垂直同期信号（Ｖｓｙｎｃ）が１２０Ｈｚであるかまたは２４０Ｈｚであるかを検出する。垂直同期信号（Ｖｓｙｎｃ）が２４０Ｈｚの場合、ＮＴＳＣ信号検出部２１２は、２４０ＨｚＮＴＳＣ信号を指示する二進数‘００’（すなわち、１０進数０）をフレーム周波数情報（ＦＤＩ）としてＥＥＰＲＯＭ２５に貯蔵する。垂直同期信号（Ｖｓｙｎｃ）が１２０Ｈｚの場合、ＮＴＳＣ信号検出部２１２は、１２０ＨｚＮＴＳＣ信号を指示する二進数‘１０’（すなわち、１０進数２）をフレーム周波数情報（ＦＤＩ）としてＥＥＰＲＯＭ２５に貯蔵する。
【００５１】
ＰＡＬ信号検出部２１３は、第２判断信号（ＣＳ２）に応答して動作し、垂直同期信号（Ｖｓｙｎｃ）が１００Ｈｚであるかまたは２００Ｈｚであるかを検出する。垂直同期信号（Ｖｓｙｎｃ）が２００Ｈｚの場合、ＰＡＬ信号検出部２１３は、２００ＨｚのＰＡＬ信号を指示する二進数‘０１’（すなわち、１０進数１）をフレーム周波数情報（ＦＤＩ）としてＥＥＰＲＯＭ２５に貯蔵する。垂直同期信号（Ｖｓｙｎｃ）が１００Ｈｚの場合、ＰＡＬ信号検出部２１３は、１００ＨｚのＰＡＬ信号を指示する二進数‘１１’（すなわち、１０進数３）をフレーム周波数情報（ＦＤＩ）としてＥＥＰＲＯＭ２５に貯蔵する。
【００５２】
第１クロストーク補償部２３は入力周波数検出部２１を介して入力される３ＤデータをＯＤＣ変調して３Ｄクロストークを一次補償する。第１クロストーク補償部２３は左目イメージが表示される左目データフレームと右目イメージが表示される右目データフレームの間ごとにブラックデータフレームを挿入して残像によるテーリング（ｔａｉｌｉｎｇ）現象を改善するいわゆる、‘Ｌ（Left Frame）Ｂ（Black Frame）Ｒ（Right Frame）Ｂ（Black Frame）’データ表示方式での輝度偏差問題を解決するために本願出願人によって提案された先行技術がそのまま適用できる。
【００５３】
言い換えれば、第１クロストーク補償部２３は、本願出願人によって既に出願された韓国特許出願第１０−２０１０−００４２９６９号のように、色々な演算方式を通じて各ブラックデータフレーム（Ｂ）にその直前左目／右目データフレーム（Ｌ／Ｒ）の階調情報を反映した後、現在フレームが左目／右目データフレーム（Ｌ／Ｒ）ならばルックアップテーブルで領域＃１を選択し、この領域＃１に登載された補償値を利用し左目／右目データフレーム（Ｌ／Ｒ）に表示されるデータをＯＤＣ変調し、他方、現在フレームがブラックデータフレーム（Ｂ）ならばルックアップテーブルで領域＃２を選択し、この領域＃２に登載された補償値を利用してブラックデータフレーム（Ｂ）に表示されるデータをブラックデータで変調することができる。
【００５４】
これとは異なり、第１クロストーク補償部２３は、本願出願人によって既に出願された韓国特許出願第１０−２０１０−００４２９７５号のように、二つのフレームの前のデータを基準として現在フレームのデータを変調、すなわち、左目データフレーム（Ｌ）を基準として右目データフレーム（Ｒ）に表示されるデータをＯＤＣ変調するかまたは右目データフレーム（Ｒ）を基準として左目データフレーム（Ｌ）に表示されるデータをＯＤＣ変調することができる。
【００５５】
これとは異なり、第１クロストーク補償部２３は、本願出願人によって既に出願された韓国特許出願第１０−２０１０−００９９２５１号のように、左目データフレーム（Ｌ）及び右目データフレーム（Ｒ）それぞれをダブリング（ＬＬＲＲ）し、ダブリングされたデータフレームを対象としてＯＤＣ変調を先に実施した後、該当位置にブラックデータフレーム（Ｂ）を挿入することもできる。
【００５６】
また、第１クロストーク補償部２３は、左目イメージが表示される左目データフレームと右目イメージが表示される右目データフレームを二つずつ交互に配置し、残像によるテーリング（ｔａｉｌｉｎｇ）現象を改善する、いわゆる、‘Ｌ（Left Frame）Ｌ（Left Frame）Ｒ（Right Frame）Ｒ（Right Frame）'データ表示方式での輝度偏差問題を解決するために本願出願人によって提案された先行技術がそのまま適用できる。
【００５７】
言い換えれば、第１クロストーク補償部２３は、本願出願人によって既に出願された韓国特許出願第１０−２０１０−００５８９４５号のように、二つのフレーム期間の間連続的に左目イメージを表示し、以後二つのフレーム期間の間連続的に右目イメージを表示しながら、前記二つのフレームの内で第１番目フレームにおいて第１変調値で左目（または右目）映像のデータを１次ＯＤＣ変調し、前記二つのフレームの内で第二番目フレームにおいて第１変調値以下の第２変調値で左目（または右目）映像のデータを２次ＯＤＣ変調することができる。
【００５８】
第１クロストーク補償部２３は、前述の多様な技術を通じて３ＤデータをＯＤＣ変調し一次補償された３Ｄデータ（３Ｄ  ＤＡＴＡ’）を出力する。
【００５９】
第２クロストーク補償部２５は、ＥＥＰＲＯＭ２５に貯蔵されたフレーム周波数情報（ＦＤＩ）を参照して入力フレーム周波数に従って０より大きく１以下の値であらかじめ決まれた定数値を一次補償された３Ｄデータ（３Ｄ  ＤＡＴＡ‘）に掛けて３Ｄクロストークを最終補償する。ここで、定数値１が掛けられる入力フレーム周波数は基準フレーム周波数として設定されたフレーム周波数の内で最も早く、本発明の実施の形態では２４０Ｈｚに当たる。
【００６０】
例えば、図６に示されたように、第２クロストーク補償部２５は、ＥＥＰＲＯＭ２５に貯蔵されたフレーム周波数情報（ＦＤＩ）が２４０ＨｚのＮＴＳＣ信号を指示する二進数‘００’の場合、１と同一である第１定数値（Ｃ１）を一次補償された３Ｄデータ（３Ｄ  ＤＡＴＡ‘）に掛け、ＥＥＰＲＯＭ２５に貯蔵されたフレーム周波数情報（ＦＤＩ）が２００ＨｚのＰＡＬ信号を指示する二進数’０１‘の場合、第１定数値（Ｃ１）より小さな第２定数値（Ｃ２）を一次補償された３Ｄデータ（３Ｄ  ＤＡＴＡ’）に掛け、ＥＥＰＲＯＭ２５に貯蔵されたフレーム周波数情報（ＦＤＩ）が１２０ＨｚのＮＴＳＣ信号を指示する二進数‘１０’の場合、第２定数値（Ｃ２）より小さな第３定数値（Ｃ３）を一次補償された３Ｄデータ（３Ｄ  ＤＡＴＡ‘）に掛け、ＥＥＰＲＯＭ２５に貯蔵されたフレーム周波数情報（ＦＤＩ）が１００Ｈｚ ＮＴＳＣ信号を指示する二進数’１１‘の場合、第３定数値（Ｃ３）より小さな第４定数値（C4）を一次補償された３Ｄデータ（３Ｄ  ＤＡＴＡ’）に掛ける。
【００６１】
図６のように、入力フレーム周波数が低くなるほど一フレーム内で液晶の応答に割り当てられる時間が長くなるので、第２クロストーク補償部２５は、１が掛けられる基準フレーム周波数から入力フレーム周波数が低くなるほど０から１間で漸次小さな定数値を一次補償された３Ｄデータ（３Ｄ  ＤＡＴＡ‘）に掛けることで、液晶応答の時発生されるオーバーシュートを未然に防止する。その結果、入力フレーム周波数に拘わらずに３Ｄクロストークが画期的に減るようになる。第２クロストーク補償部２５は定数値が掛けられることで最終補償された３Ｄデータ（３Ｄ  ＤＡＴＡ“）を制御回路１１に出力する。
【００６２】
図７は本発明の実施の形態に係る立体映像表示装置のクロストーク補償方法を順次示す。
【００６３】
図７を参照すれば、このクロストーク補償方法は、垂直同期信号（Ｖｓｙｎｃ）に基づいて入力フレーム周波数を検出する（Ｓ１０）。
【００６４】
次いで、このクロストーク補償方法は、ＯＤＣ変調を通じて入力３Ｄデータのクロストークを一次補償する（Ｓ２０）。一次補償に適用される技術は‘ＬＢＲＢ’データ表示方式での輝度偏差問題を解消するように本願出願人によって既に出願された前記特許文献がそのまま適用できる。
【００６５】
次いで、このクロストーク補償方法は、検出された入力フレーム周波数に従って０より大きく１以下の値であらかじめ決まれた定数値を一次補償された３Ｄデータに掛けてクロストークを最終補償する（Ｓ３０）。
【００６６】
本発明に係る立体映像表示装置及そのクロストーク補償方法は、入力フレーム周波数を検出し、ＯＤＣ変調を通じて入力３Ｄデータのクロストークを一次補償した後、前記検出された入力フレーム周波数に従って０より大きく１以下の値であらかじめ決まれた定数値を一次補償された３Ｄデータに掛けて３Ｄクロストークを最終補償する。その結果、本発明は入力フレーム周波数に拘わらずに液晶応答の時発生するオーバーシュートを未然に防止して３Ｄクロストークを画期的に減らすことができるようになる。
【００６７】
以上説明した内容を通じて、当業者ならば本発明の技術思想を逸脱しない範囲で多様な変更及び修正が可能であることが分かる。したがって、本発明は明細書の詳細な説明に記載した内容に限定されるのではなく特許請求の範囲によって決められなければならない。
【図１】
0005406268.tif 000002
【図２】
0005406268.tif 000003
【図３】
0005406268.tif 000004
【図４】
0005406268.tif 000005
【図５】
0005406268.tif 000006
【図６】
0005406268.tif 000007
【図７】
0005406268.tif 000008